(57)【要約】【課題】鋼帯切断片の収容装置に収容された鋼帯切断片を取り出す際、シュートから落下してくる鋼帯切断片の収容装置の本体への進入を確実に防止する。【解決手段】収容装置１は、シュート５から落下する鋼帯切断片６を受け入れる本体２、本体２に取り付けられ、水平方向に移動可能な蓋３、及び、進行方向Ａにおいてシュート５の前方に配置されているカバー４を有する。本体２は、鋼帯切断片６の進行方向Ａにおいてシュート５の前下方に配置されている。蓋３は、シュート５から落下する鋼帯切断片６を受け止め可能とする受止位置と、鋼帯切断片６の本体２への進入を可能とする進入許可位置と、の間を移動可能となっている。【選択図】            図１
2016068213.tif 000002
【特許請求の範囲】
【請求項１】
鋼帯の切断時に発生する鋼帯切断片を移送するシュートから落下してくる鋼帯切断片を収容する装置であって、
前記鋼帯切断片の進行方向において前記シュートの前下方に配置され、前記鋼帯切断片を受け入れる本体、
水平方向に移動可能となるように前記本体に取り付けられる蓋、及び、
前記進行方向において前記シュートの前方に配置され、前記蓋の上方に配置されるカバー、を有し、
前記蓋は、前記シュートから落下する鋼帯切断片を受け止め可能とする受止位置と、前記シュートから落下する鋼帯切断片の前記本体への進入を可能とし、前記本体に形成されている取出口を覆う進入許可位置と、の間を移動可能となっていることを特徴とする鋼帯切断片の収容装置。
【請求項２】
前記カバーに形成されている切欠に、前記蓋に形成されている突部が収容させていることを特徴とする請求項１に記載の鋼帯切断片の収容装置。
【請求項３】
請求項１または請求項２に記載の鋼帯切断片の収容装置に、シュートから落下してくる鋼帯切断片を収容する方法であって、
蓋を進入許可位置に配置しておいて、シュートから落下してくる鋼帯切断片を本体に受け入れ収容し、
前記蓋を受止位置に移動させて、前記シュートから落下する鋼帯切断片を前記蓋で受け止めつつ、前記本体に形成されている取出口から、前記本体に収容されている鋼帯切断片を取り出し可能とすることを特徴とする鋼帯切断片の収容方法。
【発明の詳細な説明】
【技術分野】
【０００１】
本発明は、鋼帯切断片を移送するシュートから落下してくる鋼帯切断片を収容する装置及びその装置を用いた鋼帯切断片の収容方法に関する。
【背景技術】
【０００２】
例えば、製鉄所において、冷間圧延後の鋼帯を連続処理ラインで焼鈍などするときには、ペイオフリールから払い出された鋼帯（先行材）の後端部と、別のペイオフリールから払い出された鋼帯（後行材）の先端部と、を溶接機などの鋼帯接続機により接続してから、連続処理ラインで鋼帯が搬送される。先行材と後行材とを接続するときには、先行材の後端部及び後行材の先端部の形状不良部を除去するために、鋼帯接続機の入側に配置されたシャーで先行材の後端部及び後行材の先端部を切断する。次いで、先行材及び後行材の端部同士の接続が行われる。端部同士が接続された鋼帯は、ルーパーなどの鋼帯貯留設備を経て焼鈍炉などの処理設備に送られる。
【０００３】
切断時に発生する鋼帯切断片は、それを移送するシュートを通じて、スクラップ処理設備へ繋がる切断片搬送用コンベアや、鋼帯切断片の収容装置に移送される。例えば、特許文献１には、スクラップ材と試験材（本発明の「鋼帯切断片」に対応）がコンベアに移送され、該コンベアに設けられたシュートを通じて、端板受箱（本発明の「収容装置」に対応）に移送され、該受箱でスクラップ材または試験材を収容することが記載されている。
【先行技術文献】
【特許文献】
【０００４】
【特許文献１】実開昭６１−１９５９１８号公報
【発明の概要】
【発明が解決しようとする課題】
【０００５】
連続処理ラインでの鋼帯の処理中に、鋼帯切断片を例えば機械試験などの試験片として取り出したいという事情があり、端板受箱（収容装置）から鋼帯切断片を取り出す作業を行う場合がある。その取り出し作業をしている間に、シュートから鋼帯切断片が落下してくると、該鋼帯切断片が作業者の手に衝突する可能性があり、作業者にとって危険である。
【０００６】
本発明は上記問題に鑑みてなされたもので、その目的とするところは、収容装置に収容された鋼帯切断片を取り出す際、シュートから落下してくる鋼帯切断片の収容装置の本体への進入を確実に防止可能とする鋼帯切断片の収容装置を提供することである。
【課題を解決するための手段】
【０００７】
上記課題を解決するための本発明の要旨は以下の通りである。
（１）鋼帯の切断時に発生する鋼帯切断片を移送するシュートから落下してくる鋼帯切断片を収容する装置であって、前記鋼帯切断片の進行方向において前記シュートの前下方に配置され、前記鋼帯切断片を受け入れる本体、水平方向に移動可能となるように前記本体に取り付けられる蓋、及び、前記進行方向において前記シュートの前方に配置され、前記蓋の上方に配置されるカバー、を有し、前記蓋は、前記シュートから落下する鋼帯切断片を受け止め可能とする受止位置と、前記シュートから落下する鋼帯切断片の前記本体への進入を可能とし、前記本体に形成されている取出口を覆う進入許可位置と、の間を移動可能となっていることを特徴とする鋼帯切断片の収容装置。
（２）前記カバーに形成されている切欠に、前記蓋に形成されている突部が収容させていることを特徴とする上記（１）に記載の鋼帯切断片の収容装置。
（３）上記（１）または上記（２）に記載の鋼帯切断片の収容装置に、シュートから落下してくる鋼帯切断片を収容する方法であって、蓋を進入許可位置に配置しておいて、シュートから落下してくる鋼帯切断片を本体に受け入れ収容し、前記蓋を受止位置に移動させて、前記シュートから落下する鋼帯切断片を前記蓋で受け止めつつ、前記本体に形成されている取出口から、前記本体に収容されている鋼帯切断片を取り出し可能とすることを特徴とする鋼帯切断片の収容方法。
【発明の効果】
【０００８】
本発明によれば、収容装置の本体に既に収容された鋼帯切断片を取り出す際、シュートを滑落してくる鋼帯切断片の前記本体への進入を確実に防止できる。よって、作業者が鋼帯切断片の取出作業をしている際に、シュートから落下してくる鋼帯切断片が作業者の手に衝突することを防いで、取出作業をより安全なものにし得る。
【図面の簡単な説明】
【０００９】
【図１】本発明に係る鋼帯切断片の収容装置の実施形態の一例を示す鉛直断面図
【図２】図１のII−II線断面矢視図
【発明を実施するための形態】
【００１０】
作業者が、鋼帯切断片を収容している装置から該鋼帯切断片を取り出す際に、新たな鋼帯切断片がシュートを滑落し、鋼帯切断片の収容装置に進入してくる可能性があり、その場合、新たな鋼帯切断片が作業者の手に衝突する状況が生じ得る。本発明に係る鋼帯切断片の収容装置は、上記状況の発生を防止することを目的とし、作業者が鋼帯切断片を前記収容装置から取り出す際に、確実に行われる作業に基づいている。本発明者は、前記作業として、収容装置に蓋を設けた場合には該蓋が必ず開かれることに着目し、開かれた蓋で、シュートから落下する鋼帯切断片を受け止めれば、鋼帯切断片の収容装置への進入を防止することができ、鋼帯切断片が作業者に衝突するような状況は生じなくなると考え、本発明の完成に至った。
【００１１】
本発明に係る鋼帯切断片の収容装置の実施形態の一例を図１及び図２に示し、図１及び図２を参照してその一例を説明する。図１では、鋼帯切断片の収容装置の鉛直断面を示してある。収容装置１は、鋼帯切断片６を収容する本体２、該本体２の上部に、水平方向に移動可能に取り付けられるスライド式の蓋３、及び、シュート５内を滑落してくる鋼帯切断片６の進行方向Ａに沿って、シュート５の上方及び前方に配置されるカバー４、を有する。
【００１２】
本体２には進入口７及び取出口８が形成されており、本体２は、シュート５内を滑落する鋼帯切断片６の進行方向Ａにおいてシュート５の前下方に配置され、シュート５から落下する鋼帯切断片６が、進入口７を通じて本体２に進入可能なように配置されている。本体２には、取出口８を覆うように蓋３が開閉可能に取り付けられており、作業者は、本体２に受け入れられた鋼帯切断片６を回収する際に、蓋３を開き、取出口８から鋼帯切断片６を取り出すことになる。図１において、（ａ）は、蓋３で本体２の取出口８を覆っている状態を示し、（ｂ）は、蓋３でシュート５から落下する鋼帯切断片６を受け止め、鋼帯切断片６が本体２に進入することを防止している状態を示し、また、図１（ａ）におけるII−II線断面の矢視図を図２に示す。
【００１３】
蓋３は、本体２の縦方向Ｂに沿って水平方向に移動可能となっている。図２に示すように、横方向Ｃにおける本体２の両端部の上面に溝２ａを形成し、蓋３の両端部の下面に溝３ａを形成するとともに、溝２ａと溝３ａとが、本体２に蓋３を載置したときに相対するように位置付けられている。溝２ａと溝３ａとにコロ９が複数挟まれる状態で、蓋３を本体２に載置すれば、蓋３は、スライド式で本体２上で水平方向に移動可能となる。
【００１４】
蓋３を水平方向に移動させることで、進入口７及び取出口８のいずれかを覆い得る。図１（ａ）に示すように、通常、蓋３は取出口８を覆う位置（進入許可位置）に位置している。その場合、蓋３は進入口７を覆っておらず、鋼帯切断片６は、進入口７を通過して本体２に進入可能である上に、鋼帯切断片６が本体２の底面に跳ね返り取出口８から飛び出してしまうことが防止される。作業者が鋼帯切断片６を取出口８から取り出そうとする際には、蓋３を、縦方向Ｂに沿って進入口７を覆う位置（受止位置）に移動させ、取出口８を露出させ、該取出口８から鋼帯切断片６を取り出す。図１（ｂ）に示すように、進入口７が蓋３で覆われていると、落下してくる鋼帯切断片６は蓋３に衝突し、該蓋３によって受け止められることになる。
【００１５】
図１に示すように、先端部が屈曲した板状のカバー４は、進行方向Ａにおけるシュート５の前方に配置され且つ前記蓋３の上方に配置されており、シュート５の出口及び蓋３を覆っている。これにより、前記出口で、シュート５から落下してくる鋼帯切断片６が作業者の手に衝突することを防止する。蓋３は、進行方向Ａにおけるカバー４の先端部の下方を移動可能となっており、蓋３が進入口７を覆う位置にある場合、鋼帯切断片６は蓋３に衝突して跳ね返る場合がある。その際に、鋼帯切断片６は、蓋３の上方に配置されているカバー４で受け止められ、蓋３上に留まることになり、収容装置１の周りの作業者に向かうことが防止される。
【００１６】
カバー４と蓋３とに、それらの隙間から鋼帯切断片６が滑り出てくることを防止する機構を設けることが望ましい。図２に示すように、横方向Ｃにおけるカバー４の中心部分に切欠４ｂを形成し、横方向Ｃにおける蓋３の中心部分に、縦方向Ｂに延在する突部３ｂ（図１参照）を形成し、突部３ｂを切欠４ｂに収容させて、突部３ｂは、その幅が鋼帯切断片６よりも小さくすることが望ましい。このようにしておけば、蓋３とカバー４との隙間から鋼帯切断片６が滑り出てくることが確実に防止される。蓋３が進入口７を覆う位置にある場合、鋼帯切断片６は、前述の通り、蓋３及び／またはカバー４で受け止められることになる。但し、頻度は少ないものの、鋼帯切断片６が、突部３ｂの上面に衝突した後で突部３ｂ上を滑って移動する場合がある。その場合、まずは、鋼帯切断片６は、突部３ｂの上面に衝突し、次いで、大抵、横方向Ｃにおいて傾斜して突部３ｂ上を滑って移動することになり、鋼帯切断片６の一部がカバー４の切欠４ｂ以外の先端部に衝突することになる。また、鋼帯切断片６が、突部３ｂ上を傾斜せずに滑って移動したとしても、鋼帯切断片６の幅が突部３ｂより大きければ、鋼帯切断片６の一部は、カバー４の先端部に衝突することになる。このようにして、蓋３とカバー４との隙間から鋼帯切断片６が滑り出てくることが防止される。
【００１７】
本実施形態では、図２に示すように、溝２ａと溝３ａとにコロ９を挟んだ状態で本体２に蓋３を載置することで、蓋３が本体２上で水平方向に移動可能となっているが、本発明に係る収容装置はこの形態に限定されるものではない。例えば、蓋３に回転可能な車輪を設け、該車輪が走行する溝レールを本体２に設ければ、車輪がレールを自由に走行可能となり、蓋３が水平方向に移動可能なように本体２に取り付けられることになる。
【００１８】
本実施形態では、本体２の形状を直方体としているが、本発明に係る収容装置の本体は、形状がこの形態に限定されるものではなく、本体の形状を円筒状としてもよい。本発明では、本体は、鋼帯切断片６を収容可能であれば、形状が特に限定されるものではない。加えて、本実施形態では、カバー４の形状を、先端部が屈曲した板状とし、方向Ａにおけるカバー４の後端をシュート５の排出口の上に載置してあるが、本発明に係るカバーは、形状及び載置位置は特に限定されるものではなく、カバーを単に平板としてもよいし、必ずしも、カバーをシュート５の上方に載置する必要はない。本発明では、カバーは、シュート５の前方に配置され且つ蓋３の上方に配置され、シュート５の出口部分に作業者の手が近づくことを防ぎ得るものであれば、形状及び載置位置が特に限定されるものではない。
【００１９】
本実施形態では、切欠４ｂに収容される突部３ｂによって、蓋３とカバー４との隙間から鋼帯切断片６が滑り出てくることを防止する機構を収容装置に設けてあるが、本発明に係る蓋３とカバー４とに、突部３ｂ及び切欠４ｂを必ずしも形成する必要はない。蓋３とカバー４とに、突部３ｂや切欠４ｂを形成しなくても、例えば、蓋３とカバー４との隙間が、鋼帯切断片６の厚みより小さければ、鋼帯切断片６が前記隙間から滑り出てくることはない。
【００２０】
また、蓋３の上面には、該上面を進行方向Ａに沿って滑って移動し得る鋼帯切断片６を制止する、制止部分を形成しておくことが好ましい。仮に、蓋３とカバー４との隙間からの鋼帯切断片６の滑出しを防止する機構を収容装置１に設けず、前記隙間が鋼帯切断片６の厚みより大きい場合、鋼帯切断片６が滑り出してくる場合がある。その場合が生じる可能性は低いが、その場合に、前記制止部分で鋼帯切断片６を制止することになる。図１に示す実施形態では、蓋３の右端の突出部（作業者の取手部分）が、その制止部分に相当する。
【００２１】
以上の通り、本発明によれば、収容装置の本体に既に収容された鋼帯切断片を取り出す際、シュートを滑落してくる鋼帯切断片の前記本体への進入を確実に防止できる。よって、作業者が鋼帯切断片の取出作業をしている際に、シュートから落下してくる鋼帯切断片が作業者の手に衝突することを防いで、取出作業をより安全なものにし得る。
【符号の説明】
【００２２】
１    収容装置
２    本体
２ａ  溝
３    蓋
３ａ  溝
３ｂ  突部
４    カバー
４ｂ  切欠
５    シュート
６    鋼帯切断片
７    進入口
８    取出口
９    コロ
【図１】
2016068213.tif 000003
【図２】
2016068213.tif 000004